(57)【要約】【課題】人体に影響がない温度のモイスチャを発生させ、そのためのエネルギ効率がよく、簡単な構造でこれを実現することができる爆発型モイスチャ発生装置及びこれを用いた方法を提供する。【解決手段】燃焼空間４を有する有底筒形状の第１の容器２と、前記燃焼空間４に燃料を供給するための燃料供給ユニット５と、前記燃焼空間４に空気を供給し、この空気量を調節するための空気量調節ユニット６と、前記燃焼空間４にて、前記燃料と空気とからなる混合気に点火するための点火ユニット７と、前記第１の容器２と同径の筒形状からなる第２の容器３を有し、該第２の容器３を形成する筒壁３ａの内側に前記燃焼空間４と連通する水分供給空間８を形成し、該水分供給空間８に水分を供給するための水分供給ユニット１０とを備えた。【選択図】      図１
2012159248.tif 000002
【特許請求の範囲】
【請求項１】
一方の端部に燃焼ガスが流出する流出口が形成され、他方の端部が閉塞され、燃焼空間が形成された有底筒形状の第１の容器と、
前記燃焼空間に燃料を供給するための燃料供給ユニットと、
前記第１の容器の側壁を貫通し、前記燃料供給ユニットから供給された燃料と空気とを混合させるために前記燃焼空間に空気を供給し、この空気量を調節するための空気量調節ユニットと、
前記燃焼空間にて、前記燃料と空気とからなる混合気に点火するための点火ユニットと、
前記第１の容器の前記流出口側の端部に対して接続され、前記第１の容器と同径の筒形状からなる第２の容器を有し、該第２の容器を形成する筒壁の内側に前記流出口を介して前記燃焼空間と連通する水分供給空間を形成し、該水分供給空間に水分を供給するための水分供給ユニットと
を備えたことを特徴とする爆発型モイスチャ発生装置。
【請求項２】
前記水分供給ユニットにおける前記第２の容器の前記筒壁は、中空に形成されて水分を収容するための水分収容部を有し、該水分収容部の水分を前記水分供給空間に供給するための水分伝達体をさらに有することを特徴とする請求項１に記載の爆発型モイスチャ発生装置。
【請求項３】
前記水分伝達体は、前記第２の容器の内側の筒壁を貫通し、前記水分収容部と前記水分供給空間とを連通する金属線材であることを特徴とする請求項２に記載の爆発型モイスチャ発生装置。
【請求項４】
前記燃料供給ユニットは、携帯型のカセットガスボンベであり、
前記第１の容器は、前記他方の端部に形成され、前記カセットガスボンベを保持する保持部をさらに有することを特徴とする請求項１〜３のいずれかに記載の爆発型モイスチャ発生装置。
【請求項５】
請求項１〜４のいずれかに記載の爆発型モイスチャ発生装置を用いたモイスチャ発生方法であって、
前記燃料供給ユニットから供給される燃料を間欠的に前記燃焼空間に供給することを特徴とするモイスチャ発生方法。
【発明の詳細な説明】
【技術分野】
【０００１】
本発明は、爆発型のモイスチャ発生装置及びこれを用いた方法に関する。
【背景技術】
【０００２】
蒸気洗浄具が特許文献１に開示されている。この蒸気洗浄具は、効率的な洗浄作業が可能であって十分な洗浄効果が得られ、十分な耐久性を有するとともに汎用部品により安価に制作可能とすることを目的としている。そのために、作業員が把持可能な耐熱材からなるホルダー１の下面中央部に蒸気噴射ノズル２を取り付け、リング状ないし直線状のチャンネル部材１２に耐熱樹脂からなるフィラメント１１を密に植設してなるチャンネルブラシ３をホルダーの下面周縁部に着脱可能に装着し、ホルダーの下面周縁部に溝５を形成し、その溝内にチャンネル部材を嵌入してホルダーに対してネジ１３等の係止具により係止し、複数のチャンネルブラシをホルダーの周縁部に少なくとも二重に設け、内側のチャンネルブラシ３ａのフィラメント１１ａは直毛状とし、外側のチャンネルブラシ３ｂのフィラメント１１ｂは縮毛状としている。
【０００３】
しかしながら、特許文献１の蒸気洗浄具は、蒸気の発生源が噴射ノズルから遠く、少なくともエネルギをロスした形で噴射される。また、供給するものが蒸気であるため、高温であり、人体に向けることができない。
【先行技術文献】
【特許文献】
【０００４】
【特許文献１】特開２００９−３４１５８号公報
【発明の概要】
【発明が解決しようとする課題】
【０００５】
本発明は、上記従来技術を考慮したものであり、人体に影響がない温度のモイスチャを発生させ、そのためのエネルギ効率がよく、簡単な構造でこれを実現することができる爆発型モイスチャ発生装置及びこれを用いた方法を提供することを目的とする。
【課題を解決するための手段】
【０００６】
前記目的を達成するため、本発明では、一方の端部に燃焼ガスが流出する流出口が形成され、他方の端部が閉塞され、燃焼空間が形成された有底筒形状の第１の容器と、前記燃焼空間に燃料を供給するための燃料供給ユニットと、前記第１の容器の側壁を貫通し、前記燃料供給ユニットから供給された燃料と空気とを混合させるために前記燃焼空間に空気を供給し、この空気量を調節するための空気量調節ユニットと、前記燃焼空間にて、前記燃料と空気とからなる混合気に点火するための点火ユニットと、前記第１の容器の前記流出口側の端部に対して接続され、前記第１の容器と同径の筒形状からなる第２の容器を有し、該第２の容器を形成する筒壁の内側に前記流出口を介して前記燃焼空間と連通する水分供給空間を形成し、該水分供給空間に水分を供給するための水分供給ユニットとを備えたことを特徴とする爆発型モイスチャ発生装置を提供する。
【０００７】
好ましくは、前記水分供給ユニットにおける前記第２の容器の前記筒壁は、中空に形成されて水分を収容するための水分収容部を有し、該水分収容部の水分を前記水分供給空間に供給するための水分伝達体をさらに有する。
好ましくは、前記水分伝達体は、前記第２の容器の内側の筒壁を貫通し、前記水分収容部と前記水分供給空間とを連通する金属線材である。
好ましくは、前記燃料供給ユニットは、携帯型のカセットガスボンベであり、前記第１の容器は、前記他方の端部に形成され、前記カセットガスボンベを保持する保持部をさらに有する。
【０００８】
さらに、爆発型モイスチャ発生装置を用いたモイスチャ発生方法であって、前記燃料供給ユニットから供給される燃料を間欠的に前記燃焼空間に供給することを特徴とするモイスチャ発生方法を提供する。
【発明の効果】
【０００９】
本発明によれば、第２の容器内の水分供給空間は、水分が供給されるために冷却される。このため、混合気が爆発（燃焼）して発生する炎の熱は、この水分供給空間で冷却されて約６０℃のモイスチャとして第２の容器の出口から流出する。したがって、十分に殺菌や消毒、あるいは清掃作用を有する温度を確保し、かつ人体に影響がない温度のモイスチャを発生させることができる。さらに本発明は、燃焼ガスも含めて炎の熱とともにモイスチャの熱源として利用できるので、エネルギ効率がよい。また、簡単な構造でこれらを実現することができる。
【００１０】
また、第２の容器の側壁を中空にし、ここに水分を収容するため、別体として水タンク等を用いることが不要となり、構造が簡単となる。
また、金属線材の毛細管現象を利用して水分収容部内の水分を適切な量で効率よく簡単な構造により水分供給空間に供給することができる。
また、第１の容器に携帯型のカセットガスボンベを保持するための保持部を設けることにより、全体として一体性が高まり、コンパクト化を図ることができ取り扱い性が向上する。
【００１１】
また、燃料を間欠的に供給するため、人体に向けてモイスチャを提供する場合に高温になりすぎず、人体に対して適切な温度のモイスチャを提供できる。
【図面の簡単な説明】
【００１２】
【図１】本発明に係る爆発型モイスチャ発生装置の概略図である。
【図２】本発明に係る爆発型モイスチャ発生装置の実施例を示す概略図である。
【発明を実施するための形態】
【００１３】
本発明に係る爆発型モイスチャ発生装置１の概要は、図１に示されている。すなわち、装置１は、第１の容器２と、これに接続される第２の容器３とを有している。第１の容器２は、有底筒形状であり、一方の端部に燃焼ガスが流出する流出口２ａが形成され、他方の端部が閉塞され、その内側に燃焼空間４が形成されている。この第１の容器２には、燃料供給ユニット５と、空気量調節ユニット６と、点火ユニット７とが接続されている。燃料供給ユニット５は、燃焼空間４に燃料を供給するためのものである。例えばガスボンベや、あるいは大型のガスタンクに連通するガス管及びガス管から燃料を噴出させるためのノズル等である。空気量調節ユニット６は、燃料供給ユニット５から供給された燃料と空気とを混合させるために燃焼空間４に空気を供給し、この空気量を調節するためのものである。空気の供給は、燃焼空間４と外部とを連通させればよいので、第１の容器２の側壁を貫通してこれを実現している。点火ユニット７は、燃料と空気とからなる混合気に点火し、爆発させるためのものである。例えば、公知の点火プラグ等を適用できる。このように、燃料を気体中に拡散させることにより混合して高温で燃焼させるものであるから、装置１はバーナー型であるともいえる。
【００１４】
第１の容器２には、水分供給ユニット１０が取り付けられ、この水分供給ユニット１０を形成する第２の容器３は、第１の容器２の流出口２ａ側の端部に対して接続されている。第２の容器３は、第１の容器と同径の筒形状である。すなわち、第２の容器３が第１の容器２に接続されると、互いの筒形状が長手方向に延びた形となる。この第２の容器３を形成する筒壁３ａの内側には、前記流出口２ａを介して燃焼空間４と連通する水分供給空間８が形成されている。筒壁３ａの内側には、水分供給空間４に水分を供給するため、後述する水分伝達体１２が備わっている。
【００１５】
この爆発型モイスチャ発生装置１を用いてモイスチャを発生させるには、以下のようにして行う。
まず、空気量調節ユニット６にて予め燃焼空間４内に供給する空気量を設定しておく。そして、燃焼空間内に燃料供給ユニット５から燃料を供給する。このとき、燃料と空気は混合し、混合気となる。これと同時に、点火ユニット７を利用してこの混合気に点火する。なお、点火ユニット７による操作に連動させて燃料供給ユニット５を作動させ、燃料を供給してもよい。燃料供給ユニット５から燃料が供給されている間、混合気は爆発を続け、燃焼空間４には火炎が発生する。この燃料の開始及び停止は、公知の種々の方法を適用できる。さらに、火炎とともに燃焼ガスも発生する。これら火炎及び燃焼ガスの熱は、第1の容器２の流出口２ａを通じて第２の容器３の水分供給空間８に伝達される。そして、水分供給ユニット１０にてこの熱に水分を供給し、冷却する。これと同時に、熱交換作用により水分の温度が上昇し、水分がモイスチャとなる。そして、第２の容器３の出口３ｂからモイスチャが流出する。
【００１６】
以上説明したように、第２の容器３内の水分供給空間８は、水分が供給されるために冷却された空間となる。このため、混合気が燃焼して発生する炎の熱は、この水分供給空間８で冷却されて約６０℃のモイスチャとして出口３ｂから流出する。したがって、十分に殺菌や消毒、あるいは清掃作用を有する温度を確保し、かつ人体に影響がない温度のモイスチャを発生させることができ、これを提供することができる。さらに、燃焼ガスも含めて炎の熱とともにモイスチャの熱源として利用できるので、エネルギ効率がよい。このエネルギ効率は、熱源の発生とモイスチャの出口３ｂとの距離が近いことからもさらに向上されている。また、簡単な構造でこれらを実現することができる。
【００１７】
本発明に係る爆発型モイスチャ発生装置の具体的な実施例は以下の通りである。
図２を参照すれば明らかなように、水分供給ユニット１０における第２の容器３の筒壁３ａは、中空に形成されている。この中空の空間は水分収容部１１であり、水分が収容されている。この水分は、筒壁３ａに取り付けられた水分伝達体１２によって水分供給空間８に供給される。このように、第２の容器３の側壁３ａを中空にし、ここに水分を収容するため、別体として水タンク等を用いることが不要となり、構造が簡単となる。
【００１８】
水分伝達体１２の例としては、図２に示すように、金属線材を用いることができる。この金属線材は、第２の容器３の内側の筒壁３ａを貫通し、水分収容部１１と水分供給空間８とを連通している。このような構成にすれば、金属線材の毛細管現象を利用して水分収容部１１内の水分を適切な量で効率よく簡単な構造により水分供給空間８に供給することができる。なお、水分伝達体１２としては、金属線材に限らず、例えば常時水分を含ませるような機構を備えた布や、スポンジ、あるいは第２の容器３自体として水を含んだジャケットのようなものを用いてもよい。また、水分収容部１１への水分の充填は、蓋１３を開閉することにより行うことができる。
【００１９】
また、燃料供給ユニット５として、図２に示すように、携帯型のカセットガスボンベを用いることができる。このカセットガスボンベは、第１の容器２に形成された保持部２ｂにより保持される。このような保持部２ｂを設けることにより、全体として一体性が高まり、装置１全体としてのコンパクト化を図ることができ取り扱い性が向上する。また、点火ユニット７はボタン７ａを押すことにより電圧を生じる圧電素子（不図示）を有し、これにより先端部分で火花を発生させるリード線７ｂとを有している。なお、点火できる機構を備えていればこれに限られない。
【００２０】
また、空気量調節ユニット６は、第１の容器２を貫通するねじ溝が形成された貫通孔６ａを有し、ここに中空であって側壁の一部に長孔６ｃを有するねじ部材６ｂとを有している。このねじ部材６ｂを貫通孔６ａ螺合し、その螺合量を調節することにより、第１の容器２の外側に露出する長孔６ｃの露出面積を変更させることができる。これにより、燃焼空間４内に流入する空気量の調節をすることができる（図２の矢印Ａ）。したがって、適切な混合気を形成することができる。なお、空気量調節ユニット６の構造としては、これに限らず、燃焼空間４内に流入する空気量を調節できるものであれば、どのような機構を設けてもよい。また、燃焼空間４の底部を湾曲させることで、まんべんなく混合気に対して点火することができる。
【００２１】
混合気を燃焼させる際、燃料供給ユニット５から供給される燃料を間欠的に燃焼空間４に供給すれば、人体に向けてモイスチャを提供する場合に高温になりすぎず、人体に対して適切な温度のモイスチャを提供できる。したがって、例えば注射時のアルコール消毒に代えて用いることができる。また、アルコール消毒時に用いる綿のような廃棄物も生じない。また、アルコールアレルギがある患者にとっては有効である。さらには、化学処理ではないため、耐性菌を生じにくい。また、この実施例ではカセットガスボンベを用いて装置１が非常にコンパクトであるため、携帯に便利であり、このように人体に用いる場合においても大がかりな装置を必要としない。
【００２２】
また、本発明の適用例として、装置１を複数並べて配設し、これらの装置１から同時にモイスチャを発生させることにより、モイスチャを利用した外壁等の清掃に用いることができる。この場合は、上述したように、大型のガスタンクに連通するガス管及びガス管から燃料を噴出させるためのノズル等を燃料供給ユニット５として用いてもよい。本発明に係る装置１は、電源コードを必要としないので、装置１自体でその作用効果を完結できるものである。
【符号の説明】
【００２３】
１  爆発型モイスチャ発生装置
２  第１の容器
３  第２の容器
４  燃焼空間
５  燃料供給ユニット
６  空気量調節ユニット
７  点火ユニット
８  水分供給空間
１０  水分供給ユニット
１１  水分収容部
１２  水分伝達体
【図１】
2012159248.tif 000003
【図２】
2012159248.tif 000004